(57)【要約】【課題】  番組を受信する複数のチューナがある場合において、番組の受信予約が可能であるかどうかを、効率良くユーザに提示する。【解決手段】  番組表作成部９１は、チューナにより受信されるデジタル衛星放送信号またはデジタル地上波放送信号に対応する番組の放送スケジュールを示す番組配信情報に基づいて、番組の放送スケジュールを表す電子番組表を作成する。また、チューナ選択部９４は、複数のチューナから、受信予約の対象とする番組である予約番組の受信に使用するチューナを選択する。表示制御部７８は、電子番組表の予約番組の放送スケジュールを表す位置に、選択されたチューナの使用の予約を表す線枠１３１乃至１３４を付加して予約番組表として表示させる。本発明は、例えば、テレビジョン受像機に適用することができる。【選択図】      図２
2007049263.tif 000002
【特許請求の範囲】
【請求項１】
番組の第１の種類の電波を受信する複数の第１の受信手段と、
前記第１の受信手段により受信される第１の種類の電波に対応する番組の放送スケジュールを示す番組配信情報に基づいて、前記第１の種類の電波に対応する番組の放送スケジュールを表す番組表を作成する作成手段と、
複数の前記第１の受信手段から、受信予約の対象とする番組である予約番組の受信に使用する第１の受信手段を選択する受信選択手段と、
前記作成手段により作成される番組表の前記予約番組の放送スケジュールを表す位置に、前記受信選択手段により選択される第１の受信手段の使用の予約を表す使用予約情報を付加して表示させる表示制御手段と
を備える情報処理装置。
【請求項２】
前記表示制御手段は、さらに、前記番組表の、前記予約番組の放送時間に放送される前記予約番組以外の番組の放送スケジュールを表す位置に、前記受信選択手段により選択される第１の受信手段の使用予約済みを表す使用予約済み情報を付加して表示させる
請求項１記載の情報処理装置。
【請求項３】
前記受信選択手段により選択される第１の受信手段が、前記予約番組の放送時間に、既に他の予約番組の受信に使用する第１の受信手段として選択されている場合、その第１の受信手段において受信予約の対象とする番組を、前記予約番組と前記他の予約番組の一方から他方に切り替える時刻を設定する時刻設定手段と、
前記時刻設定手段により設定される時刻に基づいて、前記第１の受信手段に、前記予約番組を受信させる受信制御手段と
をさらに備える
請求項１に記載の情報処理装置。
【請求項４】
前記放送スケジュールが変更された場合に、前記受信制御手段が、前記時刻に基づいて前記予約番組を受信させるかどうかを設定する受信制御設定手段
をさらに備える
請求項３に記載の情報処理装置。
【請求項５】
複数の記録媒体に対する記録を制御する記録制御手段と、
複数の前記記録媒体から、前記予約番組を記録する記録媒体を選択する記録選択手段と
をさらに備え、
前記記録制御手段は、前記記録選択手段により選択される記録媒体への前記予約番組の記録を制御する
請求項１に記載の情報処理装置。
【請求項６】
前記記録選択手段により選択される記録媒体が、前記予約番組の放送時間に、既に他の予約番組を記録する記録媒体として選択されている場合、その記録媒体の記録対象を、前記予約番組と前記他の予約番組の一方から他方に切り替える時刻を設定する時刻設定手段
をさらに備え、
前記記録制御手段は、前記時刻設定手段により設定される時刻に基づいて、前記記録媒体に前記予約番組を記録させる
請求項５に記載の情報処理装置。
【請求項７】
番組の第２の種類の電波を受信する複数の第２の受信手段
をさらに備え、
前記作成手段は、前記第１の種類の電波に対応する番組と前記第２の種類の電波に対応する番組の前記番組配信情報に基づいて、前記第１の種類の電波に対応する番組と前記第２の種類の電波に対応する番組の前記番組表を作成し、
前記受信選択手段は、前記予約番組が前記第１の種類の電波に対応する番組である場合、複数の前記第１の受信手段から、前記予約番組の受信に使用する第１の受信手段を選択し、前記予約番組が前記第２の種類の電波に対応する番組である場合、複数の第２の受信手段から、前記予約番組の受信に使用する第２の受信手段を選択し、
前記表示制御手段は、前記作成手段により作成される番組表の前記予約番組の放送スケジュールを表す位置に、前記受信選択手段により選択される第１または第２の受信手段の前記使用予約情報を付加して表示させる
請求項１に記載の情報処理装置。
【請求項８】
番組の第１の種類の電波を受信する複数の第１の受信手段を備える情報処理装置の情報処理方法において、
前記第１の受信手段により受信される第１の種類の電波に対応する番組の放送スケジュールを示す番組配信情報に基づいて、前記第１の種類の電波に対応する番組の放送スケジュールを表す番組表を作成し、
複数の前記第１の受信手段から、受信予約の対象とする番組である予約番組の受信に使用する第１の受信手段を選択し、
前記番組表の前記予約番組の放送スケジュールを表す位置に、選択された第１の受信手段の使用の予約を表す使用予約情報を付加して表示させる
ステップを含む情報処理方法。
【請求項９】
番組の第１の種類の電波を受信する複数の第１の受信手段を備える情報処理装置を制御するコンピュータに行わせるプログラムにおいて、
前記第１の受信手段により受信される第１の種類の電波に対応する番組の放送スケジュールを示す番組配信情報に基づいて、前記第１の種類の電波に対応する番組の放送スケジュールを表す番組表を作成し、
複数の前記第１の受信手段から、受信予約の対象とする番組である予約番組の受信に使用する第１の受信手段を選択し、
前記番組表の前記予約番組の放送スケジュールを表す位置に、選択された第１の受信手段の使用の予約を表す使用予約情報を付加して表示させる
ステップを含むプログラム。
【発明の詳細な説明】
【技術分野】
【０００１】
本発明は情報処理装置および情報処理方法、並びにプログラムに関し、特に、番組を受信する複数のチューナがある場合において、番組の受信予約が可能であるかどうかを、効率良くユーザに提示することができるようにした情報処理装置および情報処理方法、並びにプログラムに関する。
【背景技術】
【０００２】
近年、テレビジョン放送等の番組の記録（録画）を予約する装置が、各種多様に実用化されている。なお、以下では、録画予約（受信予約）の対象とする番組を、予約番組という。
【０００３】
例えば、予約番組を録画した記録媒体と、予約番組の録画状態(例えば、正常、頭欠けあり、後ろ欠けありなど)とを、録画履歴一覧に表示させ、ユーザの利便性を向上させる記録装置がある（例えば、特許文献１参照）。
【０００４】
また、予約番組の放送時間が延長される可能性がある場合、または予約番組の放送時間に放送される録画予約済みの他の予約番組がある、即ち録画予約が重複する場合、警告画面を表示させ、録画ミスを防止する記録装置もある（例えば、特許文献２参照）。さらに、録画予約が重複する場合、重複する予約番組のいずれか一方が放送される他の時間を検索し、その一方の録画予約を他の時間にシフトすることにより、予約の重複を防止する情報処理装置もある（例えば、特許文献３参照）。
【０００５】
【特許文献１】特開２００５−１１７４４８号公報
【特許文献２】特開平１０−２１６０１号公報
【特許文献３】特開平１１−２８４９２２号公報
【発明の開示】
【発明が解決しようとする課題】
【０００６】
しかしながら、番組を受信する複数のチューナがある場合において、複数のチューナのうちの少なくとも１つのチューナが予約番組の受信に使用可能であるかどうか、即ち予約番組の受信予約が可能であるかどうかを、効率良くユーザに提示する装置は提案されていなかった。
【０００７】
その結果、ユーザは、実際に予約番組を設定するための操作を行うまで、その予約番組を受信予約することができるかどうかを知ることは困難であった。
【０００８】
本発明は、このような状況に鑑みてなされたものであり、特に、番組を受信する複数のチューナがある場合において、番組の受信予約が可能であるかどうかを、効率良くユーザに提示することができるようにするものである。
【課題を解決するための手段】
【０００９】
本発明の一側面の情報処理装置には、番組の第１の種類の電波を受信する複数の第１の受信手段と、前記第１の受信手段により受信される第１の種類の電波に対応する番組の放送スケジュールを示す番組配信情報に基づいて、前記第１の種類の電波に対応する番組の放送スケジュールを表す番組表を作成する作成手段と、複数の前記第１の受信手段から、受信予約の対象とする番組である予約番組の受信に使用する第１の受信手段を選択する受信選択手段と、前記作成手段により作成される番組表の前記予約番組の放送スケジュールを表す位置に、前記受信選択手段により選択される第１の受信手段の使用の予約を表す使用予約情報を付加して表示させる表示制御手段とが設けられている。
【００１０】
前記表示制御手段は、さらに、前記番組表の、前記予約番組の放送時間に放送される前記予約番組以外の番組の放送スケジュールを表す位置に、前記受信選択手段により選択される第１の受信手段の使用予約済みを表す使用予約済み情報を付加して表示させることができる。
【００１１】
前記情報処理装置には、前記受信選択手段により選択される第１の受信手段が、前記予約番組の放送時間に、既に他の予約番組の受信に使用する第１の受信手段として選択されている場合、その第１の受信手段において受信予約の対象とする番組を、前記予約番組と前記他の予約番組の一方から他方に切り替える時刻を設定する時刻設定手段と、前記時刻設定手段により設定される時刻に基づいて、前記第１の受信手段に、前記予約番組を受信させる受信制御手段とをさらに設けることができる。
【００１２】
また、前記情報処理装置には、前記放送スケジュールが変更された場合に、前記受信制御手段が、前記時刻に基づいて前記予約番組を受信させるかどうかを設定する受信制御設定手段をさらに設けることができる。
【００１３】
前記情報処理装置には、複数の記録媒体に対する記録を制御する記録制御手段と、複数の前記記録媒体から、前記予約番組を記録する記録媒体を選択する記録選択手段とをさらに設け、前記記録制御手段は、前記記録選択手段により選択される記録媒体への前記予約番組の記録を制御することができる。
【００１４】
また、前記情報処理装置には、前記記録選択手段により選択される記録媒体が、前記予約番組の放送時間に、既に他の予約番組を記録する記録媒体として選択されている場合、その記録媒体の記録対象を、前記予約番組と前記他の予約番組の一方から他方に切り替える時刻を設定する時刻設定手段をさらに設け、前記記録制御手段は、前記時刻設定手段により設定される時刻に基づいて、前記記録媒体に前記予約番組を記録させることができる。  
【００１５】
前記情報処理装置には、番組の第２の種類の電波を受信する複数の第２の受信手段をさらに備え、前記作成手段は、前記第１の種類の電波に対応する番組と前記第２の種類の電波に対応する番組の前記番組配信情報に基づいて、前記第１の種類の電波に対応する番組と前記第２の種類の電波に対応する番組の前記番組表を作成し、前記受信選択手段は、前記予約番組が前記第１の種類の電波に対応する番組である場合、複数の前記第１の受信手段から、前記予約番組の受信に使用する第１の受信手段を選択し、前記予約番組が前記第２の種類の電波に対応する番組である場合、複数の第２の受信手段から、前記予約番組の受信に使用する第２の受信手段を選択し、前記表示制御手段は、前記作成手段により作成される番組表の前記予約番組の放送スケジュールを表す位置に、前記受信選択手段により選択される第１または第２の受信手段の前記使用予約情報を付加して表示させることができる。
【００１６】
本発明の一側面の情報処理方法は、番組の第１の種類の電波を受信する複数の第１の受信手段を備える情報処理装置の情報処理方法において、前記第１の受信手段により受信される第１の種類の電波に対応する番組の放送スケジュールを示す番組配信情報に基づいて、前記第１の種類の電波に対応する番組の放送スケジュールを表す番組表を作成し、複数の前記第１の受信手段から、受信予約の対象とする番組である予約番組の受信に使用する第１の受信手段を選択し、前記番組表の前記予約番組の放送スケジュールを表す位置に、選択された第１の受信手段の使用の予約を表す使用予約情報を付加して表示させるステップを含む。
【００１７】
本発明の一側面のプログラムは、番組の第１の種類の電波を受信する複数の第１の受信手段を備える情報処理装置を制御するコンピュータに行わせるプログラムにおいて、前記第１の受信手段により受信される第１の種類の電波に対応する番組の放送スケジュールを示す番組配信情報に基づいて、前記第１の種類の電波に対応する番組の放送スケジュールを表す番組表を作成し、複数の前記第１の受信手段から、受信予約の対象とする番組である予約番組の受信に使用する第１の受信手段を選択し、前記番組表の前記予約番組の放送スケジュールを表す位置に、選択された第１の受信手段の使用の予約を表す使用予約情報を付加して表示させるステップを含む。
【００１８】
本発明の一側面においては、番組の第１の種類の電波を受信する第１の受信手段により受信される第１の種類の電波に対応する番組の放送スケジュールを示す番組配信情報に基づいて、前記第１の種類の電波に対応する番組の放送スケジュールを表す番組表が作成され、複数の前記第１の受信手段から、受信予約の対象とする番組である予約番組の受信に使用する第１の受信手段が選択され、前記番組表の前記予約番組の放送スケジュールを表す位置に、選択された第１の受信手段の使用の予約を表す使用予約情報が付加して表示される。
【発明の効果】
【００１９】
以上のように、本発明の一側面によれば、番組を受信することができる。
【００２０】
また、本発明の一側面によれば、特に、番組を受信する複数のチューナがある場合において、番組の受信予約が可能であるかどうかを、効率良くユーザに提示することができる。
【発明を実施するための最良の形態】
【００２１】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２２】
本発明の一側面の情報処理装置は、第１に、
番組の第１の種類の電波(例えば、衛星波)を受信する複数の第１の受信手段(例えば、図１のチューナ３１−１と３１−２)と、
前記第１の受信手段により受信される第１の種類の電波に対応する番組の放送スケジュールを示す番組配信情報に基づいて、前記第１の種類の電波に対応する番組の放送スケジュールを表す番組表を作成する作成手段(例えば、図２の番組表作成部９１)と、
複数の前記第１の受信手段から、受信予約の対象とする番組である予約番組の受信に使用する第１の受信手段を選択する受信選択手段(例えば、図２のチューナ選択部９４)と、
前記作成手段により作成される番組表の前記予約番組の放送スケジュールを表す位置に、前記受信選択手段により選択される第１の受信手段の使用の予約を表す使用予約情報（例えば、線枠１３１乃至１３４）を付加して表示させる表示制御手段(例えば、図２の表示制御部７８)と
を備える。
【００２３】
本発明の一側面の情報処理装置は、第２に、
前記表示制御手段は、さらに、前記番組表の、前記予約番組の放送時間に放送される前記予約番組以外の番組の放送スケジュールを表す位置に、前記受信選択手段により選択される第１の受信手段の使用予約済み(例えば、図５の点線枠１４１乃至１４４)を表す使用予約済み情報を付加して表示させる(例えば、図１２のステップＳ１３の処理)。
【００２４】
本発明の一側面の情報処理装置は、第３に、
前記受信選択手段により選択される第１の受信手段が、前記予約番組の放送時間に、既に他の予約番組の受信に使用する第１の受信手段として選択されている場合、その第１の受信手段において受信予約の対象とする番組を、前記予約番組と前記他の予約番組の一方から他方に切り替える時刻を設定する時刻設定手段(例えば、図１３のステップＳ３４の処理を実行する図２の重複設定部９６)と、
前記時刻設定手段により設定される時刻に基づいて、前記第１の受信手段に、前記予約番組を受信させる受信制御手段(例えば、図２の受信制御部７７)と
をさらに備える。
【００２５】
本発明の一側面の情報処理装置は、第４に、
前記放送スケジュールが変更された場合に、前記受信制御手段が、前記時刻に基づいて前記予約番組を受信させるかどうかを設定する受信制御設定手段(例えば、図２の予約情報設定部９３)
をさらに備える。
【００２６】
本発明の一側面の情報処理装置は、第５に、
複数の記録媒体に対する記録を制御する記録制御手段（例えば、図２の出力制御部７６）と、
複数の前記記録媒体から、前記予約番組を記録する記録媒体を選択する記録選択手段(例えば、図２のチューナ選択部９４)と
をさらに備え、
前記記録制御手段は、前記記録選択手段により選択される記録媒体への前記予約番組の記録を制御する。
【００２７】
本発明の一側面の情報処理装置は、第６に、
前記記録選択手段により選択される記録媒体が、前記予約番組の放送時間に、既に他の予約番組を記録する記録媒体として選択されている場合、その記録媒体の記録対象を、前記予約番組と前記他の予約番組の一方から他方に切り替える時刻を設定する時刻設定手段（例えば、図１４のステップＳ５４の処理を実行する図２の重複設定部９６）
をさらに備え、
前記記録制御手段は、前記時刻設定手段により設定される時刻に基づいて、前記記録媒体に前記予約番組を記録させる。
【００２８】
本発明の一側面の情報処理装置は、第７に、
番組の第２の種類の電波（例えば、地上波）を受信する複数の第２の受信手段（例えば、図１のチューナ３２−１と３２−２）
をさらに備え、
前記作成手段は、前記第１の種類の電波に対応する番組と前記第２の種類の電波に対応する番組の前記番組配信情報に基づいて、前記第１の種類の電波に対応する番組と前記第２の種類の電波に対応する番組の前記番組表を作成し(例えば、図１２のステップＳ１２の処理)、
前記受信選択手段は、前記予約番組が前記第１の種類の電波に対応する番組である場合、複数の前記第１の受信手段から、前記予約番組の受信に使用する第１の受信手段を選択し、前記予約番組が前記第２の種類の電波に対応する番組である場合、複数の第２の受信手段から、前記予約番組の受信に使用する第２の受信手段を選択し(例えば、図１３のステップＳ３２の処理)、
前記表示制御手段は、前記作成手段により作成される番組表の前記予約番組の放送スケジュールを表す位置に、前記受信選択手段により選択される第１または第２の受信手段の前記使用予約情報を付加して表示させる（例えば、図１２のステップＳ１３の処理）。
【００２９】
本発明の一側面の情報処理方法は、
番組の第１の種類の電波（例えば、衛星波）を受信する複数の第１の受信手段（例えば、図１のチューナ３１−１と３１−２）を備える情報処理装置（例えば、図１の受信装置１１）の情報処理方法において、
前記第１の受信手段により受信される第１の種類の電波に対応する番組の放送スケジュールを示す番組配信情報に基づいて、前記第１の種類の電波に対応する番組の放送スケジュールを表す番組表を作成し（例えば、図１２のステップＳ１２）、
複数の前記第１の受信手段から、受信予約の対象とする番組である予約番組の受信に使用する第１の受信手段を選択し（例えば、図１３のステップＳ３２）、
前記番組表の前記予約番組の放送スケジュールを表す位置に、選択された第１の受信手段の使用の予約を表す使用予約情報（例えば、図５の線枠１３１乃至１３４）を付加して表示させる(例えば、図１２のステップＳ１３の処理)。
【００３０】
本発明の一側面のプログラムは、
番組の第１の種類の電波（例えば、衛星波）を受信する複数の第１の受信手段(例えば、図１のチューナ３１−１と３１−２)を備える情報処理装置（例えば、図１の受信装置１１）を制御するコンピュータに行わせるプログラムにおいて、
前記第１の受信手段により受信される第１の種類の電波に対応する番組の放送スケジュールを示す番組配信情報に基づいて、前記第１の種類の電波に対応する番組の放送スケジュールを表す番組表を作成し(例えば、図１２のステップＳ１２)、
複数の前記第１の受信手段から、受信予約の対象とする番組である予約番組の受信に使用する第１の受信手段を選択し(例えば、図１３のステップＳ３２)、
前記番組表の前記予約番組の放送スケジュールを表す位置に、選択された第１の受信手段の使用の予約を表す使用予約情報（例えば、図５の線枠１３１乃至１３４）を付加して表示させる（例えば、図１２のステップＳ１３の処理）。
【００３１】
以下、図面を参照して本発明を適用した実施の形態について説明する。
【００３２】
図１は、本発明を適用した受信装置１１の一実施の形態の構成例を示すブロック図である。
【００３３】
図１の受信装置１１では、チューナ３１−１と３１−２、チューナ３２−１と３２−２、CODEC（Coder Decoder）３３、信号処理部３４、ディスプレイ３５、スピーカ３６、制御部３８、操作入力部３９、通信部４０、HDD（Hard Disk Drive）４１と４３、記録部４５、並びにドライブ４７が、バス３７を介して互いに接続されており、受信装置１１は、番組（の画像や音声）のデジタル信号の電波を受信し、その番組の画像や音声を出力する。
【００３４】
チューナ３１−１と３１−２は、制御部３８の制御により、図示せぬ放送局から衛星を介して放射される、番組と、番組の放送スケジュールを示す番組配信情報のデジタル信号の電波（衛星波）であるデジタル衛星放送信号を受信し、そのデジタル衛星放送信号を復調する。ここで、番組配信情報とは、例えば、EPG（Electronic Program Guide）、iEPG(商標)（internet Electronic Program Guide）などの電子番組表を作成するための情報である。
【００３５】
チューナ３１−１と３１−２は、復調の結果得られる番組の画像データおよび音声データ（以下、コンテンツデータという）をCODEC３３に供給するか、またはバス３７を介して制御部３８に供給する。また、チューナ３１−１と３１−２は、復調の結果得られる番組配信情報を、バス３７を介して、制御部３８に供給する。
【００３６】
チューナ３２−１と３２−２は、制御部３８の制御により、図示せぬ放送局から放射される、番組と番組配信情報のデジタル信号の地上波（電波）であるデジタル地上波放送信号を受信し、そのデジタル地上波放送信号を復調する。チューナ３２−１と３２−２は、復調の結果得られる番組のコンテンツデータをCODEC３３に供給するか、またはバス３７を介して制御部３８に供給する。また、チューナ３２−１と３２−２は、復調の結果得られる番組配信情報を、バス３７を介して、制御部３８に供給する。
【００３７】
なお、以下では、チューナ３１−１と３１−２をそれぞれ区別する必要がない場合、それらをまとめてチューナ３１という。また、チューナ３２−１と３２−２をそれぞれ区別する必要がない場合、それらをまとめてチューナ３２という。
【００３８】
CODEC３３は、チューナ３１、チューナ３２、または制御部３８からバス３７を介して供給されるコンテンツデータ（符号化されているコンテンツデータ）を、MPEG2(Moving Picture Experts Group phase 2)などの所定の方式で復号し、信号処理部３４に供給する。
【００３９】
信号処理部３４は、CODEC３４から供給されるコンテンツデータに対して、例えば、コンテンツデータをコンポジット信号などの信号に変換するデータ方式の変換処理、D/A（Digital/Analog）変換処理などの所定の処理を施し、コンテンツデータのうちの画像データを、ディスプレイ３５に供給するとともに、音声データをスピーカ３６に供給する。
【００４０】
また、信号処理部３５は、制御部３８から供給される各種の画面を表示するための画像データに対して、例えば、データ方式の変換処理、D/A変換処理などの処理を施し、ディスプレイ３５に供給する。
【００４１】
ディスプレイ３５は、信号処理部３４からの画像データに対応する画像を表示する。スピーカ３６は、信号処理部３４からの音声データに対応する音声を出力する。
【００４２】
制御部３８は、例えば、CPU(Central Processing Unit)、ROM(Read Only Memory)、RAM（Random Access Memory）などから構成される組み込み型のマイクロコンピュータにより構成され、操作入力部３９から入力される、ユーザの操作を表す操作信号などに対応して、各種の処理を実行する。
【００４３】
例えば、制御部３８は、チューナ３１、チューナ３２、または通信部４０から供給される番組配信情報を保持する。また、制御部３８は、チューナ３１、チューナ３２、またはCODEC３３から供給されるコンテンツデータを、バス３７を介してHDD４１、HDD４３、または記録部４５に供給し、記録させる。
【００４４】
さらに、制御部３８は、HDD４１、HDD４３、または記録部４５から供給されるコンテンツデータを取得し、バス３７を介してCODEC３３に供給する。また、制御部３８は、番組配信情報に基づいて、番組の放送スケジュールを表す電子番組表、予約番組を表す予約番組表などの各種の画面を表示するための画像データを作成し、バス３７を介して信号処理部３４に供給する。
【００４５】
なお、制御部３８は、例えば、HDD４１に接続されるハードディスク４２、あるいはHDD４３に接続されるハードディスク４４−１または４４−２にインストールされたプログラムを実行することにより、各種の処理を行う。また、制御部３８は、通信部４０によりダウンロードされたプログラムや、ドライブ４７に装着された磁気ディスク、光ディスク、光磁気ディスク、あるいは半導体メモリなどのリムーバブルメディア４８に記録されたプログラムを必要に応じて、ハードディスク４２、あるいはハードディスク４４−１または４４−２にインストールする。
【００４６】
操作入力部３９は、例えば、図示せぬリモートコントローラから送信されてくる指令を受信する受信部、ボタン、キーボード、マウス、スイッチなどから構成され、ユーザの操作を表す操作信号を、バス３７を介して制御部３８に供給する。
【００４７】
通信部３９は、図示せぬインターネットなどのネットワークを介して、各種のデータの送受信を行う。例えば、通信部３９は、図示せぬサーバからネットワークを介して番組配信情報を取得し、バス３７を介して制御部３８に供給する。また、通信部３９は、例えば、図示せぬサーバからネットワークを介して所定のプログラムをダウンロードし、制御部３８に供給する。
【００４８】
HDD４１には、ハードディスク４２が装着され、HDD４１は、制御部３８からバス３７を介して供給されるコンテンツデータをハードディスク４２に記録する。また、HDD４１は、必要に応じて、制御部３８（のCPU）が実行するプログラムおよび各種のデータを、ハードディスク４２に記録する。さらに、HDD４１は、制御部３８の制御により、ハードディスク４２に記録されているコンテンツデータを読み出し、制御部３８に供給する。
【００４９】
HDD４３には、ハードディスク４４−１と４４−２が装着され、HDD４３は、HDD４１と同様に、制御部３８からバス３７を介して供給されるコンテンツデータをハードディスク４４−１または４４−２に記録する。また、HDD４３は、必要に応じて、制御部３８が実行するプログラムおよび各種のデータを、ハードディスク４４−１または４４−２に記録する。さらに、HDD４３は、制御部３８の制御により、ハードディスク４４−１または４４−２に記録されているコンテンツデータを読み出し、制御部３８に供給する。
【００５０】
記録部４５には、必要に応じて、ビデオテープ４６が装着され、記録部４５は、制御部３８からバス３７を介して供給されるコンテンツデータを、例えば、D-VHS（Data Video Home System）方式でビデオテープ４６に記録する。また、記録部４５は、制御部３８の制御により、ビデオテープ４６に記録されているコンテンツデータを読み出し、制御部３８に供給する。
【００５１】
ドライブ４７には、必要に応じて、リムーバブルメディア４８が装着される。ドライブ４７は、リムーバブルメディア４８を駆動して、そこに記録されているプログラムやデータなどを読み出し、バス３７を介して制御部３８に供給する。
【００５２】
図２は、図１の制御部３８が、所定のプログラムを実行することにより実現する機能の構成例を示すブロック図である。
【００５３】
図２の制御部３８は、番組配信情報保持部７１、チューナ情報保持部７２、出力情報保持部７３、予約情報保持部７４、予約制御部７５、出力制御部７６、受信制御部７７、および表示制御部７８から構成される。
【００５４】
番組配信情報保持部７１には、チューナ３１、チューナ３２、または通信部４０から番組配信情報が供給され、番組配信情報保持部７１は、その番組配信情報を保持する。また、番組配信情報保持部７１は、保持している番組配信情報を予約制御部７５に供給する。
【００５５】
チューナ情報保持部７２は、例えば、ユーザにより予め設定された、受信装置１１が備えるチューナ３１と３２の、受信する電波の種類（例えば、衛星波、地上波）、名前などの情報(以下、チューナ情報という)を保持する。ここで、チューナ３１−１と３１−２には、それぞれ、「衛星波チューナ＃１」と「衛星波チューナ＃２」という名前が付与されているものとする。また、チューナ３２−１と３２−２には、それぞれ「地上波チューナ＃１」と「地上波チューナ＃２」という名前が付与されているものとする。
【００５６】
即ち、チューナ情報保持部７２は、チューナ３１−１の電波の種類である「衛星波」と名前である「衛星波チューナ＃１」、チューナ３１−２の電波の種類である「衛星波」と名前である「衛星波チューナ＃２」、チューナ３２−１の電波の種類である「地上波」と名前である「地上波チューナ＃１」、並びにチューナ３２−２の電波の種類である「地上波」と名前である「地上波チューナ＃２」を、チューナ情報として保持する。また、チューナ情報保持部７２は、保持しているチューナ情報を予約制御部７５に供給する。
【００５７】
出力情報保持部７３は、例えば、ユーザにより予め設定された、受信装置１１が備える、コンテンツデータの出力先であるディスプレイ３５、ハードディスク４２、ハードディスク４４−１または４４−２、あるいは記録部４５の名前などの情報（以下、出力情報という）を保持する。
【００５８】
ここで、ディスプレイ３５は、「ディスプレイ」という名前が付与され、ハードディスク４２には、「HD＃１」という名前が付与されているものとする。また、ハードディスク４４−１と４４−２のそれぞれには、「HD＃２Ａ」と「HD＃２Ｂ」という名前が付与されているものとし、記録部４５には、「DVHS」という名前が付与されているものとする。
【００５９】
即ち、出力情報保持部７３は、ディスプレイ３５の名前である「ディスプレイ」、ハードディスク４２の名前である「HDD＃１」、ハードディスク４４−１の名前である「HDD＃２Ａ」とハードディスク４４−２の名前である「HDD＃２Ｂ」、並びに記録部４５の名前である「DVHS」を、出力情報として保持する。また、出力情報保持部７３は、保持している出力情報を予約制御部７５に供給する。
【００６０】
予約情報保持部７４は、予約制御部７５から供給される、予約番組の放送日、予約開始時刻、予約終了時刻、およびチャンネルからなる予約番組情報、予約番組の受信に使用するチューナ３１または３２の名前、および予約番組の出力先の名前、出力開始時刻、出力終了時刻、並びに受信予約の形態（後述する図９）などの予約情報を保持（更新）する。また、予約情報保持部７４は、保持している予約情報を、予約制御部７５、出力制御部７６、および受信制御部７７に供給する。
【００６１】
予約制御部７５は、番組表作成部９１、予約番組表作成部９２、予約情報設定部９３、チューナ選択部９４、出力先選択部９５、および重複設定部９６から構成される。
【００６２】
番組表作成部９１は、操作入力部３９から供給される、ユーザからの電子番組表または予約番組表の表示を指令するための操作を表す操作信号と、番組配信情報保持部７１からの番組配信情報とに基づいて、電子番組表を表示させるための電子番組表データを作成する。そして、番組表作成部９１は、操作信号に応じて、電子番組表データを表示制御部７８または予約番組表作成部９２に供給する。
【００６３】
予約番組表作成部９２は、操作入力部３９から供給される、ユーザからの予約番組表の表示を指令するための操作を表す操作信号、チューナ情報保持部７２からのチューナ情報、予約情報保持部７４からの予約情報、および番組表作成部９１からの電子番組表データに基づいて、予約番組表を表示させるための予約番組表データを作成する。そして、予約番組表作成部９２は、その予約番組表データを表示制御部７８と予約情報設定部９３に供給する。
【００６４】
予約情報設定部９３は、ユーザからの予約番組の指定の操作を表す操作信号、出力情報保持部７３からの出力情報、および予約情報保持部７４からの予約情報に基づいて、ユーザが予約番組の受信に使用するチューナ３１またはチューナ３２とを設定するための画面である予約ダイアログのデータ（以下、予約ダイアログデータという）を作成し、表示制御部７８に供給する。
【００６５】
さらに、予約情報設定部９３は、ユーザからの予約番組の指定の操作を表す操作信号、後述するチューナ選択部９４から供給される、予約番組の受信に使用するチューナ３１またはチューナ３２を表すチューナ選択情報、後述する出力先選択部９５から供給される、予約番組の出力先を表す出力先選択情報、および番組配信情報保持部７１からの番組配信情報に基づいて、予約番組の予約情報を作成し、その予約情報を予約情報保持部７４に供給して保持させる。
【００６６】
チューナ選択部９４は、ユーザからの予約番組の受信に使用するチューナ３１またはチューナ３２の設定の操作を表す操作信号に基づいて、４つのチューナ３１−１、チューナ３１−２、チューナ３２−１、およびチューナ３２−２から、予約番組の受信に使用するチューナ３１−１、チューナ３１−２、チューナ３２−１、またはチューナ３２−２を選択し、その選択したチューナ３１またはチューナ３２を表すチューナ選択情報を、予約情報設定部９３と重複設定部９６に供給する。
【００６７】
出力先選択部９５は、出力情報保持部７３からの出力情報と予約情報保持部７４からの予約情報とに基づいて、予約番組の出力先を指定するための予約出力先指定ダイアログのデータ(以下、予約出力先指定ダイアログデータという)を作成し、表示制御部７８に供給する。
【００６８】
また、出力先選択部９５は、ユーザからの予約番組の出力先の指定の操作を表す操作信号に基づいて、ディスプレイ３５、ハードディスク４２、ハードディスク４４−１または４４−２、あるいは記録部４５のいずれか１つを出力先として選択し、出力先であるディスプレイ３５、ハードディスク４２、ハードディスク４４−１または４４−２、あるいは記録部４５を表す出力先選択情報を、予約情報設定部９３と重複設定部９６に供給する。
【００６９】
重複設定部９６は、チューナ選択部９４から供給されるチューナ選択情報と、予約情報保持部７４からの予約情報とに基づいて、チューナ３１またはチューナ３２において受信予約の重複を解決するための受信重複解決ダイアログのデータ(以下、受信重複解決ダイアログデータという)を作成し、表示制御部７８に供給する。
【００７０】
また、重複設定部９６は、出力先選択部９５からの出力選択情報と、予約情報とに基づいて、出力先の出力予約の重複を解決するための出力重複解決ダイアログのデータ（以下、出力重複解決ダイアログデータという）を作成し、表示制御部７８に供給する。さらに、重複設定部９６は、受信予約の形態を設定するための予約形態設定ダイアログのデータ（以下、予約形態設定ダイアログデータという）を作成し、表示制御部７８に供給する。
【００７１】
また、重複設定部９６は、予約情報と、操作入力部３９から供給される、ユーザからの視聴対象の指定の操作を表す操作信号とに基づいて、チューナ３１または３２の受信対象の重複を判定する。チューナ３１または３２の受信対象が重複する場合、重複設定部９６は、予約情報に基づいて、チューナ３１または３２の受信対象の重複を警告する警告画面のデータ（以下、警告画面データという）を作成し、表示制御部７８に供給する。
【００７２】
一方、チューナ３１または３２の受信対象が重複しない場合、重複設定部９６は、視聴対象である番組を表す視聴対象情報を、受信制御部７７に供給する。
【００７３】
出力制御部７６は、予約情報保持部７４から供給される予約情報に基づいて、コンテンツデータの出力を制御する。具体的には、出力制御部７６は、予約情報に基づいて、チューナ３１または３２、あるいはCODEC３３から供給されるコンテンツデータを、ディスプレイ３５とスピーカ３６に出力したり、HDD４１に装着されるハードディスク４２、HDD４３に装着されるハードディスク４４−１または４４−２、あるいは記録部４５に供給し、記録させる。
【００７４】
その結果、コンテンツデータのうちの画像データに対応する画像がディスプレイ３５に表示されるとともに、音声データに対応する音声がスピーカ３６から出力されたり、コンテンツデータがハードディスク４２、４４−１、または４４−２、もしくはビデオテープ４６に記録される。
【００７５】
受信制御部７７は、現在の日時を計時する計時部７７Ａを内蔵している。受信制御部７７は、予約情報保持部７４から供給される予約情報と、計時部７７Ａが計時する日時とに基づいて、チューナ３１またはチューナ３２を制御し、予約番組を受信させる。また、受信制御部７７は、重複設定部９６からの視聴対象情報に基づいて、チューナ３１またはチューナ３２を制御し、視聴対象である番組を受信させる。
【００７６】
チューナ３１またはチューナ３２により受信される予約番組または視聴対象である番組に対応するコンテンツデータは、直接、出力制御部７６に供給されるか、またはCODEC３３を介して出力制御部７６に供給される。
【００７７】
表示制御部７８は、番組表作成部９１からの電子番組表データ、予約番組表作成部９２からの予約番組表データ、予約情報設定部９３からの予約ダイアログデータ、出力先選択部９５からの予約出力先指定ダイアログデータ、あるいは重複設定部９６からの受信重複解決ダイアログデータ、出力重複解決ダイアログデータ、予約形態設定ダイアログデータ、または警告画面データを、信号処理部３４を介してディスプレイ３５に供給する。
【００７８】
これにより、ディスプレイ３５には、電子番組表データに対応する電子番組表、予約番組表データに対応する予約番組、予約ダイアログデータに対応する予約ダイアログ、予約出力先指定ダイアログデータに対応する予約出力先指定ダイアログ、受信重複解決ダイアログデータに対応する受信重複解決ダイアログ、出力重複解決ダイアログデータに対応する出力重複解決ダイアログ、または予約形態設定ダイアログデータに対応する予約形態設定ダイアログが表示される。
【００７９】
図３は、図１のディスプレイ３５に表示される電子番組表の例を示す図である。
【００８０】
なお、以下では、各番組の番組名を番組＃ｉ（ｉ=1,2,・・・）と表す。また、図３は、ユーザが、２００３年３月１７日の１７時に、地上波の３００チャンネルの番組＃１５の番組を視聴中に、電子番組表の表示を指令するための操作を行ったとき、ディスプレイ３５に表示される電子番組表を示している。
【００８１】
図３に示すように、電子番組表の横方向は番組のチャンネルを表し、縦方向は番組の放送時間を表している。即ち、電子番組表の上方には、衛星波または地上波のチャンネルと、そのチャンネル（に対応する放送局）のロゴとが対になって横方向に並べて表示され、電子番組表の左側には縦方向に時間が表示される。そして、各番組には、その番組のチャンネルと放送時間とに対応する位置（番組の放送スケジュールを表す位置）に配置されたセル１１０が割り当てられ、そのセル１１０には、その番組の名前が表示される。これにより、電子番組表は、番組の放送スケジュールを表すことができる。
【００８２】
また、図３に示すように、電子番組表の下方には、いまカーソル１１１が配置されているセル１１０に対応する番組と、その番組の予約情報などの受信予約に関する詳細な説明が表示される。
【００８３】
図３の例においては、電子番組表の上方に、ユーザが電子番組表の表示の指令時に視聴していた番組を放送する地上波の３００チャンネルを含む、ＢＳ（Broadcasting Satellite）からの衛星波の１００チャンネル（以下、BSD100cｈという)，２００チャンネル（以下、BSD200chという）、および３００チャンネル（以下、BSD300chという），ＣＳ（Communication Satellite）からの衛星波の２００チャンネル(以下、CS1 200chという)、並びに地上波の３００チャンネル（以下、地上波300chという）と４００チャンネル（以下、地上波400chという）の６つのチャンネルのそれぞれが、ロゴと対になって、順に横方向に並べて表示されている。
【００８４】
また、電子番組表の左側には、ユーザが電子番組表の表示を指令した日時である２００３年３月１７日の１７時を含む、２００３年３月１７日の１７時から２０時までの時間が、１時間単位で上から順に表示されている。
【００８５】
そして、図３の例においては、例えば、電子番組表のBSD100chのロゴと対になったBSD100chと、２００３年３月１７日の１７時から１８時までの時間とに対応する位置に配置されたセル１１０に、番組＃１が表示されている。
【００８６】
同様に、図３の電子番組表のロゴと対になったBSD100ch,BSD200ch,BSD300ch,CS1 200ch、地上波300ch、または地上波400chと、２００３年３月１７日の１７時から２０時までの番組の放送時間に対応する位置に配置されたセル１１０に、番組＃２乃至＃２０が表示されている。即ち、図３の電子番組表は、番組＃１乃至＃２０の番組の放送スケジュールを表している。
【００８７】
また、図３の例においては、ユーザが電子番組表の表示を指令したときに視聴されていた番組＃１５の番組、即ち２００３年３月１７日の１７時に地上波300chで放送されていた番組＃１５の番組に対応するセル１１０に、カーソル１１１が配置されており、電子番組表の下方には、番組＃１５の番組と、その番組の受信予約に関する詳細な説明が表示される。
【００８８】
図４は、予約情報保持部７４に保持されている予約情報の例を示す図である。
【００８９】
図４に示すように、予約情報保持部７４は、「放送日」、「予約開始時刻」、「予約終了時刻」、「チャンネル」、「チューナ」、「出力先」、「出力開始時刻」、「出力終了時刻」、および「形態」の項目のそれぞれに対応付けて、予約情報の放送日、予約開始時刻、予約終了時刻、チャンネル、予約番組の受信に使用するチューナ３１または３２の名前、予約番組の出力先の名前、出力開始時刻、出力終了時刻、もしくは受信予約の形態を保持する。
【００９０】
図４の例において、予約情報保持部７４には、「放送日」、「予約開始時刻」、「予約終了時刻」、「チャンネル」、「チューナ」、「出力先」、「出力開始時刻」、「出力終了時刻」、および「形態」の項目のそれぞれに対応付けて、「２００３年３月１７日」、「１７：５０」、「１９：１０」、「地上波300ch」、「地上波チューナ＃１」、「HD＃１」、「１７：５０」、「１９：１０」、「−（なし）」が保持されている。
【００９１】
即ち、予約番組は、地上波300chで２００３年３月１７日の１７時５０分から１９時１０分に放送される番組であり、その予約番組は、「地上波チューナ＃１」という名前に対応するチューナ３２−１により受信される。そして、受信された予約番組は、１７時５０分から１９時１０分までの間、「HD＃１」という名前に対応するハードディスク４２に記録される。即ち、受信された予約番組に対応するすべてのコンテンツデータが、ハードディスク４２に記録される。また、予約の形態は設定されていない。
【００９２】
また、図４の例においては、項目「放送日」、「予約開始時刻」、「予約終了時刻」、「チャンネル」、「チューナ」、「出力先」、「出力開始時刻」、「出力終了時刻」、および「形態」の項目のそれぞれに対応付けて、「２００３年３月１７日」、「１８：００」、「１９：０５」、「BSD100ch」、「BSDチューナ＃１」、「HD＃２Ａ」、「１８：００」、「１９：０５」、「−（なし）」が保持されている。
【００９３】
さらに、図４の例においては、項目「放送日」、「予約開始時刻」、「予約終了時刻」、「チャンネル」、「チューナ」、「出力先」、「出力開始時刻」、「出力終了時刻」、および「形態」のそれぞれに対応付けて、「２００３年３月１７日」、「１８：２５」、「１９：４５」、「CS1 200ch」、「BSDチューナ＃２」、「DVHS」、「１８：２５」、「１９：４５」、「−（なし）」が保持されている。
【００９４】
なお、説明は省略するが、以降も同様に、項目「放送日」、「予約開始時刻」、「予約終了時刻」、「チャンネル」、「チューナ」、「出力先」、「出力開始時刻」、「出力終了時刻」、および「形態」のそれぞれに対応付けて、予約番組の予約情報が保持されている。
【００９５】
図５は、図１のディスプレイ３５に表示される予約番組表の例を示す図である。
【００９６】
なお、図５は、ユーザが、２００３年３月１７日の１７時と地上波300chを指定し、予約番組表の表示を指令するための操作を行ったとき、ディスプレイ３５に表示される予約番組表を示している。また、予約情報保持部７４には、図４の予約情報が保持されているものとする。
【００９７】
図５に示すように、予約番組表の上方には、ユーザにより指定された地上波300chを含むチャンネルで放送される番組の、２００３年３月１７日の１７時を含む時間の放送スケジュールを表す電子番組表（図３）が表示される。
【００９８】
そして、その電子番組表の、予約番組のチャンネルと、予約開始時刻から予約終了時刻までの時間とに対応する位置に、チューナ３１−１、チューナ３１−２、チューナ３２−１、およびチューナ３２−２における受信予約（チューナ３１−１、チューナ３１−２、チューナ３２−１、およびチューナ３２−２の使用予約）を表す線枠１３１乃至１３４が付加される。また、予約番組の受信に使用するチューナ３１または３２で受信可能な他のチャンネルと、予約開始時刻から予約終了時刻までの時間とに対応する位置に、受信予約済み(使用予約済み)を表す点線枠１４１乃至１４４が付加される。
【００９９】
図５の例においては、図４の予約情報の項目を除く第１行目に示すように、２００３年３月１７日の１７時５０分から１９時１０分までに地上波300chで放送される番組＃１６の予約番組を受信するために、「地上波チューナ＃１」という名前のチューナ３２−１の使用予約が行われているので、地上波300chと１７時５０分から１９時１０分までの時間とに対応する位置に、チューナ３２−１の使用予約を表す線枠１３３が付加されている。
【０１００】
即ち、図５の例の場合、番組＃１６の予約番組の放送開始時刻が１７時５０分であり、放送終了時刻が１９時１０分である、即ち放送開始時刻と予約開始時刻、放送終了時刻と放送開始時刻とが一致するので、線枠１３３は、番組＃１６の予約番組に対応するセル１１０に付加されている。
【０１０１】
これにより、ユーザは、１７時５０分から１９時１０分の間、チューナ３２−１が、番組＃１６の予約番組の受信に使用されることを容易に認識することができる。
【０１０２】
また、チューナ３２−１で受信可能な他のチャンネルである地上波400chと、２００３年３月１７日の１７時５０分から１９時１０分までの時間とに対応する位置、即ち番組＃１６の予約番組の放送時間に放送される、チューナ３２−１で受信可能な番組＃１６の予約番組以外の番組の放送スケジュールを表す位置には、チューナ３２−１の使用予約済みを表す点線枠１４３が付加されている。これにより、ユーザは、番組＃１６の予約番組の受信予約を行うことにより、チューナ３２−１を使用することができない時間に、他のチャンネルで放送されている番組が番組＃１８と番組＃１９の番組であることを容易に認識することができる。
【０１０３】
その結果、ユーザは、所望の番組を新規の予約番組として指定する場合に、その予約番組を受信可能なすべてのチューナ３１または３２が、予約番組の放送時間内に使用されているかどうか、即ち予約番組の受信予約が不可能であるかどうかを容易に認識することができる。換言すれば、受信装置１１は、点線枠１４１乃至１４４を付加した電子番組表を予約番組表の上方に表示させることにより、新規の予約番組の受信予約が可能であるかどうかを、効率良くユーザに提示することができる。
【０１０４】
さらに、図５の例においては、図４の予約情報の項目を除く第２行目に示すように、２００３年３月１７日の１８時から１９時５分までにBSD100chで放送される、放送開始時刻が１８時で放送終了時刻が１９時５分の番組＃２の予約番組を受信するために、チューナ３１−１の使用予約が行われているので、番組＃２の予約番組に対応するセル１１０には、チューナ３１−１の使用予約を表す線枠１３１が付加されている。
【０１０５】
また、チューナ３１−１で受信可能な他のチャンネルであるBSD200ch、BSD300ch、およびCS1 200chと、２００３年３月１７日の１８時から１９時５分までの時間とに対応する位置には、チューナ３１−１の使用予約済みを表す点線枠１４１が付加されている。
【０１０６】
さらに、図５の例においては、図４の予約情報の項目を除く第３行目に示すように、２００３年３月１７日の１８時２５分から１９時４５分までにCS1 200chで放送される、放送開始時刻が１８時２５分で放送終了時刻が１９時４５分の番組＃１３の予約番組を受信するために、チューナ３１−２の使用予約が行われているので、番組＃１３に対応するセル１１０には、チューナ３１−２の使用予約を表す線枠１３２が付加されている。
【０１０７】
また、チューナ３１−２で受信可能な他のチャンネルであるBSD100ch、BSD200ch、およびBSD300chと、２００３年３月１７日の１８時２５分から１９時４５分までの時間とに対応する位置には、チューナ３１−２の使用予約済みを表す点線枠１４２が付加されている。
【０１０８】
なお、図５に示すように、チューナ３２−１で受信可能な、予約番組表に表示されている地上波300chと地上波400ch以外のチャンネルが存在し、そのチャンネルで２００３年３月１７日の１９時３０分から２０時までの時間に放送される番組が予約番組となっている場合、１９時３０分から２０時までの時間に対応し、予約番組表に表示されているすべてのチャンネルである地上波300chと地上波400chに対応する位置には、使用予約済みを表す点線枠１４３が付加される。
【０１０９】
また、図５の例においては、ユーザにより指定された２００３年３月１７日の１７時に地上波300chで放送される番組＃１５の番組に対応するセル１１０に、カーソル１１１が配置されている。
【０１１０】
なお、カーソル１１１は、２００３年３月１７日の１７時と地上波300chに対応する線枠１３１乃至１３４に配置されるようにしてもよい。この場合、例えば、地上波300chに対応し、２００３年３月１７日の１７時を表す位置に最も近い、番組＃１６の番組に対応するセル１１０に付加された線枠１３３に、カーソル１１１が配置される。
【０１１１】
また、例えば、番組＃１５の番組に対応するセル１１０に、線枠１３３が付加されている場合、まず最初に、カーソル１１１が、そのセル１１０に配置され、ユーザがカーソル１１１を下方に移動させると、カーソル１１１が、そのセル１１０に付加された線枠１３３に配置されるようにしてもよい。
【０１１２】
さらに、図５の例においては、予約番組表の左下方に、使用可能な番組のリソース、即ち受信装置１１に備えられているチューナ３１と３２の名前と、線枠１３１乃至１３４の種類とが対応付けて表示されている。さらに、右下方に、カーソル１１１が配置された番組＃１５の番組と、その番組の受信予約に関する詳細な説明が表示される。
【０１１３】
ユーザは、図５の予約番組表を見ながら、操作入力部３９を操作し、カーソル１１１を所望の番組に移動する。例えば、ユーザは、番組＃７に対応するセル１１０にカーソル１１１を移動する。その後、ユーザは、決定の操作を行うことにより、番組＃７の番組を予約番組として指定することができる。
【０１１４】
具体的には、ユーザが、番組＃７に対応するセル１１０にカーソル１１１を移動し、決定の操作を行うと、図６の予約ダイアログがディスプレイ３５に表示される。
【０１１５】
図６に示すように、予約ダイアログの上方には、「新規予約の予約に使用できるリソースとその予約状態は以下のとおりです。予約に使用するリソースを選択してください。」というメッセージが表示され、下方には番組＃７の番組を受信可能なチューナ３１−１と３１−２の使用予約の状況を表すグラフが表示される。なお、グラフの横軸は時間を表している
【０１１６】
図６の例においては、グラフは、番組＃７の放送時間である１９時から１９時５５分までを含む１８時５５分から２０時５分までのチューナ３１−１とチューナ３１−２の使用予約の状況を表している。
【０１１７】
グラフの上段は、チューナ３１−１の使用予約の状況を表している。即ち、グラフの上段の左端には、チューナ３１−１の名前「BSDチューナ＃１」が記述され、その右側には、横軸の時間に対応して、その時間にチューナ３１−１により受信される予定の予約番組が棒状で表されている。
【０１１８】
図６の例では、１８時から１９時までの時間を表す位置に対応する棒状で、チューナ３１−１により受信される予定のBSD100chで放送される番組＃２の予約番組が表されている。また、１９時５０分から２０時２５分までの時間を表す位置に対応する棒状で、チューナ３１−１により受信される予定のBSD300chで放送される番組＃１１の予約番組が表されている。
【０１１９】
また、グラフの中段は、「BSDチューナ＃２」であるチューナ３１−２の使用予約の状況を表している。図６の例では、１８時２５分から１９時４５分までの時間を表す位置に対応する棒状で、チューナ３１−２により受信される予定のCS1 200chで放送される番組＃１３の予約番組が表されている。また、１９時４５分から２０時２５分までの時間を表す位置に対応する棒状で、チューナ３１−２により受信される予定のCS1 200chで放送される番組＃１４の予約番組が表されている。
【０１２０】
グラフの下段には、いまユーザにより指定された番組＃７の予約番組(新規予約の番組)が、放送時間に基づいて棒状で表されている。即ち、グラフの下段の左端には、「新規予約」と記述され、その右側には、番組＃７の番組の放送時間である１９時から１９時５５分までの時間を表す位置に対応する棒状で、BSD200chで放送される番組＃７の番組が表されている。
【０１２１】
ユーザは、操作入力部３９を操作して、グラフの上段と中段の左端に記述された「BSDチューナ＃１」と「BSDチューナ＃２」のいずれか一方にカーソル１７１を移動させ、決定の指令を行うことにより、チューナ３１−１またはチューナ３１−２を、番組＃７の番組の受信に使用するチューナとして選択する。
【０１２２】
図６に示すように、ユーザが、カーソル１７１を「BSDチューナ＃１」に移動させて決定の指令を行うことにより、チューナ３１−１を選択すると、チューナ３１−１は、番組＃７の予約番組の放送時間である１９時から１９時５５分までの間に、既に他の番組である番組＃２と番組＃１１の番組の受信に使用するチューナとして選択されている、即ちチューナ３１−１の使用予約が重複し、番組＃７の予約番組の受信予約が不可能であるので、その重複を解決するために、図７と図８の重複解決ダイアログがディスプレイ３５に表示される。
【０１２３】
図７と図８に示すように、重複解決ダイアログの上方には、「重複している部分について、切り替え時刻を指定してください」というメッセージが表示される。また、下方には、図６の予約ダイアログの下方のグラフのうち、ユーザにより選択されたチューナ３１−１の使用予約の状況を表す段（図６中上段）の一部と、新規予約を表す段（図６中下段）とが表示される。
【０１２４】
さらに、重複解決ダイアログのグラフには、チューナ３１−１の受信対象を切り替える時刻（以下、切り替え時刻という）を設定するためのバー１９１が表示される。
【０１２５】
ユーザは、操作入力部３９を操作して、バー１９１を左右方向に移動させるか、または所望の切り替え時刻を入力することにより、バー１９１を所望の切り替え時刻に対応する位置に移動させる。その後、ユーザは、決定の指令を行うことにより、切り替え時刻を設定する。
【０１２６】
図７の例においては、ユーザは、バー１９１を用いて、番組＃７の番組の放送開始時刻における受信予約の重複を、切り替え時刻を設定することにより解決する。即ち、図７の例においては、図６の予約ダイアログのグラフの上段に表示される番組＃２と番組＃１１の番組を表す棒状のうち、番組＃７の番組の予約開始時刻において受信予約が重複する番組＃２の番組を表す棒状が表示される。ユーザは、バー１９１を移動させ、チューナ３１−１の受信対象を、番組＃２の番組から番組＃７の番組に切り替える切り替え時刻を１９時２分３０秒に設定している。その結果、番組＃７の番組の予約開始時刻は、１９時２分３０秒となる。
【０１２７】
また、図８の例においては、ユーザは、バー１９１を用いて、番組＃７の番組の放送終了時刻における受信予約の重複を、切り替え時刻を設定することにより解決する。即ち、図８の例においては、図６の予約ダイアログのグラフの上段に表示される、番組＃７の番組の放送終了時刻において受信予約が重複する番組＃１１の番組を表す棒状が表示される。ユーザは、バー１９１を移動させ、切り替え時刻を１９時５２分１５秒に設定している。その結果、番組＃７の番組の予約終了時刻は、１９時５２分１５秒となる。
【０１２８】
以上のように、受信装置１１では、ユーザが選択したチューナ３１または３２において、新規予約の予約番組の放送開始時刻から放送終了時刻までの時間を含む時間に、既に他の予約番組の受信予約が行われている場合、新規予約の予約番組の放送開始時刻から放送終了時刻までの時間の一定時間内に、既に他の予約番組の受信予約が行われている場合などの受信予約が重複する場合においても、ユーザが切り替え時刻を設定することにより、その重複を解決することができるので、ユーザの意図した受信予約を行うことができる。
【０１２９】
図７と図８の重複解決ダイアログにおいて、ユーザが切り替え時刻を設定し、受信予約の重複を解決すると、ディスプレイ３５には、図９の予約形態指定ダイアログが表示される。
【０１３０】
図９に示すように、予約形態指定ダイアログの上方には、「変更した予約をどちらの形式にするか選択してください。」というメッセージが表示される。また、予約形態指定ダイアログの下方には、「時刻指定予約」と「番組指定予約」という項目が表示される。
【０１３１】
「時刻指定予約」という項目は、番組の延長などにより、番組の放送時間が移動した場合であっても、ユーザにより設定された切り替え時刻にしたがって、チューナ３１−１の受信対象が切り替えられる形式（以下、時刻指定予約形式という）を、予約の形態として指定するときに選択される。
【０１３２】
即ち、「時刻指定予約」という項目がユーザにより選択される場合、番組＃２、番組＃７、または番組＃１１の放送時間が移動した場合であっても、切り替え時刻である１９時２分３０秒から１９時５２分１５秒までの間、チューナ３１−１は、番組＃７の予約番組を受信する。
【０１３３】
また、「番組指定予約」という項目は、番組の放送時間が移動した場合、ユーザにより設定された切り替え時刻が無効となり、先に放送が開始された予約番組が終了した後、次の予約番組がチューナ３１−１により受信される形式(以下、番組指定予約形式という)を、予約の形態として指定するときに選択される。
【０１３４】
例えば、「番組指定予約」という項目がユーザにより選択される場合、番組＃２の番組の放送時間が移動して、１８時２５分から１９時３０分までの間に放送されるとき、チューナ３１−１は、番組＃２、番組＃７、および番組＃１１の予約番組うち、先に放送が開始した番組＃２の番組を１８時２５分から１９時３５分までの間受信し、その後、１９時３５分から１９時５５分までの間、番組＃７の番組を受信する。そして、チューナ３１−１は、１９時５５分から２０時２５分までの間、番組＃１１の番組を受信する。
【０１３５】
図９の例においては、ユーザが、操作入力部３９を操作して、カーソル２０１を「番組指定予約」という項目に移動させ、決定の指令を行うことにより、「番組指定予約」という項目を選択している。ユーザが項目を選択すると、ディスプレイ３５には、図１０に示す予約出力先指定ダイアログが表示される。
【０１３６】
図１０に示すように、予約出力先指定ダイアログの上方には、「予約の出力先を指定して最後に決定を押してください」などのメッセージが表示される。予約出力先指定ダイアログの下方には、出力情報が表すハードディスク４２、ハードディスク４４−１と４４−２、記録部４５、およびディスプレイ３５の名前が項目として表示される。なお、ハードディスク４４−１の名前である「HD＃２Ａ」と、ハードディスク４４−２の名前である「HD＃２Ｂ」は、まとめて「HD＃２」と表示される。
【０１３７】
ハードディスク４２の名前である「HD＃１」、ハードディスク４４−１と４４−２の名前である「HD＃２」、記録部４５の名前である「DVHS」、およびディスプレイ３５の名前である「ディスプレイ」の左側には、チェックボックス２１１乃至２１４がそれぞれ表示される。
【０１３８】
また、名前である「HD＃１」、「HD＃２」、「DVHS」、および「ディスプレイ」の右側には、いまユーザにより指定された番組＃７の予約番組の出力先として、ハードディスク４２、ハードディスク４４−１と４４−２、記録部４５、またはディスプレイ３５が選択された場合に、それぞれにおいて出力予約が他の予約番組と重複する時間の、番組＃７の予約番組の予約時間（予約開始時刻（１９時２分３０秒）から予約終了時刻（１９時５２分１５秒）までの時間）における位置を表す重複ゲージ２２１、２２２−１と２２２−２、２２３、または２２４が設けられている。
【０１３９】
図１０の例においては、重複ゲージ２２１には、「重複なし」と記述されており、ユーザが番組＃７の予約番組の出力先としてハードディスク４２を選択する場合、出力予約の重複はない。また、重複ゲージ２２２−１には、出力予約が他の予約番組と重複する時間を表す重複バー２２２Ａが左端に表示されている。即ち、ユーザが番組＃７の予約番組の出力先としてハードディスク４４−１を選択する場合、番組＃７の予約番組の予約開始時刻の近傍で、出力予約の重複がある。
【０１４０】
また、同様に、重複ゲージ２２２−２、２２３、および２２４にも、それぞれ、重複バー２２２Ｂ、２２３Ａ、または２２４が表示される。
【０１４１】
図１０の例では、ユーザは、操作入力部３９を操作して、チェックボックス２１１と２１４をチェックすることにより、番組＃７の予約番組の出力先として、ハードディスク４２とディスプレイ３５を選択している。その結果、番組＃７の予約番組は、ハードディスク４２に記録されるとともに、ディスプレイ３５に表示される。
【０１４２】
なお、ユーザが予約番組の出力先として、ハードディスク４２とディスプレイ３５を選択した後、ディスプレイ３５における出力予約の重複を解決するために、図７と図８と同様の出力重複解決ダイアログがディスプレイ３５に表示される。ユーザは、バー１９１を移動させることにより、ディスプレイ３５への出力対象を切り替える時刻を設定する。
【０１４３】
図１１は、チューナ３１または３２の受信対象の重複を警告する警告画面の例を示す図である。この警告画面は、ユーザにより予約番組以外の番組が視聴対象として指定される場合に、その視聴対象を受信可能なすべてのチューナ３１または３２が予約番組の受信に使用されているとき、表示される。
【０１４４】
図１１に示すように、警告画面の上方には、「現在、すべての受信リソースを予約の実行に使用しています。」、「予約実行中以外のチャンネルを視聴するには、以下から中断する予約を指定してください。」などのメッセージが表示される。また、警告画面の下方には、視聴対象を受信可能なチューナ３１または３２で受信されている予約番組の番組名が項目として表示されるとともに、「どれも取り消さない」という項目が表示される。
【０１４５】
なお、「どれも取り消さない」という項目は、いまチューナ３１またはチューナ３２で行われている予約番組の受信をいずれも中断させず、視聴対象として指定された番組の受信を取り止めるときに、選択される。
【０１４６】
図１１の例においては、図２の予約情報保持部７４に、図４の予約情報が保持されており、ユーザが、２００３年３月１７日の１８時３０分に、BSD200chで放送されている番組＃６の番組を視聴対象として指定している。
【０１４７】
即ち、警告画面の下方の上段には、２００３年３月１７日の１８時３０分にチューナ３１−１で受信されている予約番組のチャンネルであるBSD100ch、番組名である番組＃２、および番組＃２の予約番組の予約時間に対する受信済みの時間の位置を表す受信済みゲージ２３１が項目として表示されている。受信済みゲージ２３１には、受信済みの時間を表す受信済みバー２３１Ａが表示されている。
【０１４８】
また、警告画面の下方の中段には、２００３年３月１７日の１８時３０分にチューナ３１−２で受信されている番組のチャンネルであるCS1 200ch、番組名である番組＃１３、および番組＃１３の番組の予約時間に対する受信済みの時間の位置を表す受信済みゲージ２３２が項目として表示されている。受信済みゲージ２３２には、受信済みの時間を表す受信済みバー２３２Ａが表示されている。さらに、警告画面の下方の下段には、「どれも取り消さない」という項目が表示されている。
【０１４９】
図１１の例において、ユーザは、操作入力部３９を操作して、カーソル２４１を「どれも取り消さない」という項目に移動させ、その項目の決定を指令している。その結果、チューナ３１−１と３１−２は、番組＃１３と番組＃７の番組の受信を中断せず、視聴対象である番組＃６の番組の受信を取り止める。
【０１５０】
次に、図１２を参照して、図２の受信装置１１が予約番組表データを作成する予約番組表作成処理を説明する。この予約番組表作成処理は、ユーザが操作入力部３９を操作することにより、予約番組表の表示を指令したとき、開始される。
【０１５１】
ステップＳ１１において、番組表作成部９１は、番組配信情報保持部７１に保持される番組配信情報に基づいて、番組表データを作成し、予約番組表作成部９２に供給し、ステップＳ１２に進む。
【０１５２】
ステップＳ１２において、予約番組表作成部９２は、ステップＳ１１で供給される番組表データと、予約情報保持部７４に保持されている予約情報とに基づいて、予約番組表データを作成し、表示制御部７８に供給して、ステップＳ１３に進む。
【０１５３】
ステップＳ１３において、表示制御部７８は、ステップ１２で供給される予約番組表データを、信号処理部３４を介してディスプレイ３５に供給することにより、ディスプレイ３５に予約番組表データに対応する予約番組表（図５）を表示させ、処理を終了する。
【０１５４】
次に、図１３を参照して、図２の受信装置１１が予約情報を設定する予約番組設定処理を説明する。この予約番組設定処理は、ユーザが操作入力部３９を用いて、予約番組表（図５）の所望の番組のセル１１０にカーソル１１１を移動させ、決定の指令を行うことにより新規の予約番組を指定するとき、開始される。
【０１５５】
ステップＳ３１において、予約情報設定部９３は、ユーザからの予約番組の指定の操作を表す操作信号、出力情報保持部７３からの出力情報、および予約情報保持部７４からの予約情報（図４）に基づいて、予約ダイアログデータを作成する。そして、予約情報設定部９３は、その予約ダイアログデータを、表示制御部７８と信号処理部３４を介して、ディスプレイ３５に供給することにより、ディスプレイ３５に予約ダイアログ（図６）を表示させる。
【０１５６】
ステップＳ３１の処理後は、ステップＳ３２に進み、チューナ選択部９４は、チューナ３１−１または３１−２（３２−１または３２−２）が選択されたかどうかを判定する。具体的には、チューナ選択部９４は、ユーザが操作入力部３９を操作し、予約ダイアログにおいて、カーソル１７１を所望のチューナ３１−１または３１−２（３２−１または３２−２）の名前に移動させ、決定の指令を行うことにより、所望のチューナ３１−１または３１−２（３２−１または３２−２）を選択したかどうかを判定する。
【０１５７】
ステップＳ３２において、チューナ３１−１または３１−２（３２−１または３２−２）が選択されていないと判定された場合、チューナ選択部９４は、チューナ３１−１または３１−２（３２−１または３２−２）が選択されるまで待機する。
【０１５８】
また、ステップＳ３２において、チューナ３１−１または３１−２（３２−１または３２−２）が選択されたと判定された場合、チューナ選択部９４は、その選択されたチューナ３１（３２）を表すチューナ選択情報を重複設定部９６に供給し、ステップＳ３３に進む。
【０１５９】
ステップＳ３３において、重複設定部９６は、チューナ選択情報と予約情報に基づいて、ユーザにより選択されたチューナ３１（３２）の使用予約が重複するかどうかを判定し、
重複すると判定した場合、ステップＳ３４に進む。
【０１６０】
ステップＳ３４において、重複設定部９６は、チューナ選択情報と予約情報に基づいて、受信重複解決ダイアログデータを作成する。そして、重複設定部９６は、その受信重複解決ダイアログデータを表示制御部７８と信号処理部３４を介して、ディスプレイ３５に供給することにより、重複解決ダイアログ（図７や図８）をディスプレイ３５に表示させる。
【０１６１】
このとき、ユーザは、操作入力部３９を操作し、バー１９１を移動させることにより、切り替え時刻を設定する。重複設定部９６は、その切り替え時刻を、予約情報設定部９３に供給する。
【０１６２】
ステップＳ３４の処理後は、ステップＳ３５に進み、重複設定部９６は、ステップＳ３３と同様に、チューナ選択情報と予約情報に基づいて、ユーザにより選択されたチューナ３１（３２）の使用予約が重複するかどうか、即ちまだ解決されていない使用予約の重複があるかどうかを判定し、チューナ３１（３２）の使用予約が重複すると判定した場合、ステップＳ３４に戻り、再度重複解決ダイアログを表示させる。
【０１６３】
一方、チューナ３１（３２）の使用予約が重複しないと判定された場合、ステップＳ３６に進み、予約情報設定部９３は、予約形態指定ダイアログデータを作成し、表示制御部７８と信号処理部３４を介して、ディスプレイ３５に供給することにより、ディスプレイ３５に予約形態指定ダイアログ（図９）を表示させる。
【０１６４】
このとき、ユーザは、操作入力部３９を操作し、予約形態指定ダイアログに表示される所望の予約形態の項目に、カーソル２０１を移動させ、決定の指令を行うことにより、予約形態を選択する。
【０１６５】
ステップＳ３６の処理後は、ステップＳ３７に進み、出力先選択部９５は、予約番組の出力先を設定する出力先設定処理を行う。この出力先設定処理については、後述する図１４を参照して詳細に説明する。
【０１６６】
ステップＳ３７の処理後は、ステップＳ３８に進み、予約情報設定部９３は、番組配信情報、チューナ選択情報、切り替え時刻、予約形態、出力先選択情報、出力開始時刻、および出力終了時刻に基づいて、予約情報を作成し、予約保持部７４に保持させる。
【０１６７】
例えば、図７の重複解決ダイアログにおいて、ユーザが切り替え時刻を１９時２分３０秒に設定し、図８の重複解決ダイアログにおいて、ユーザが切り替え時刻を１９時５２分１５秒に設定した場合、予約情報設定部９３は、番組配信情報から、ユーザにより指定された新規の予約番組である番組＃７の番組の放送日とチャンネルを認識し、番組＃７の番組の放送日とチャンネルを予約情報の放送日とチャンネルとして予約情報保持部７４に保持させる。
【０１６８】
また、予約情報設定部９３は、ユーザにより設定された切り替え時刻に基づいて、時間的に前の切り替え時刻である１９時２分３０秒を予約情報の予約開始時刻として、時間的に後の切り替え時刻である１９時５２分１５秒を予約情報の予約終了時刻として、それぞれ予約情報保持部７４に保持させる。さらに、予約情報設定部９３は、チューナ選択情報が表すチューナ３１または３２の名前を、予約情報のチューナとして保持させる。
【０１６９】
また、予約情報設定部９３は、ステップＳ３７の出力先設定処理で決定された出力先を予約情報の出力先として、出力開始時刻を予約情報の出力開始時刻として、出力終了時刻を予約情報の出力終了時刻として、それぞれ予約情報保持部７４に保持させる。さらに、予約情報設定部９３は、ユーザにより選択された予約形態を、予約情報の予約形態として予約情報保持部７４に保持させる。
【０１７０】
一方、ステップＳ３３において、ユーザにより選択されたチューナ３１（３２）の使用予約が重複しないと判定された場合、ステップＳ３４乃至ステップＳ３６をスキップして、ステップＳ３７に進む。
【０１７１】
ステップＳ３７において、出力先選択部９５は、上述したように出力先設定処理を行い、ステップＳ３８に進む。ステップＳ３８において、予約情報設定部９３は、番組配信情報、チューナ選択情報、出力先選択情報、出力開始時刻、および出力終了時刻に基づいて、予約情報を作成し、予約保持部７４に保持させる。
【０１７２】
例えば、予約情報設定部９３は、番組配信情報から、新規の予約番組である番組の放送日、放送開始時刻、放送終了時刻、およびチャンネルを認識し、それらを予約情報の放送日、放送開始時刻、放送終了時刻、およびチャンネルとして、予約情報保持部７４に保持させる。また、予約情報設定部９３は、チューナ選択情報が表すチューナ３１または３２の名前を、予約情報のチューナとして保持させる。
【０１７３】
さらに、予約情報設定部９３は、ステップＳ３７の出力先設定処理で決定された出力先、出力開始時刻、および出力終了時刻を、予約情報の出力先、出力開始時刻、および出力終了時刻として、それぞれ予約情報保持部７４に保持させる。また、予約情報設定部９３は、予約情報の予約形態として、「−（なし）」を保持させる。
【０１７４】
次に、図１４を参照して、図１３のステップＳ３７の出力先設定処理を説明する。
【０１７５】
ステップＳ５１において、出力先選択部９５は、出力情報保持部７３に保持されている出力情報と、予約情報保持部７４に保持されている予約情報とに基づいて、予約出力先指定ダイアログデータを作成する。そして、出力先選択部９５は、その予約出力先指定ダイアログデータを、表示制御部７８と信号処理部３４を介して、ディスプレイ３５に供給することにより、ディスプレイ３５に予約出力先指定ダイアログ(図１０)を表示させる。
【０１７６】
ステップＳ５１の処理後は、ステップＳ５２に進み、出力先選択部９５は、出力先が選択されたかどうか、即ちユーザが操作入力部３９を操作することにより、少なくとも１つのチェックボックス２１１乃至２１４を選択したかどうかを判定し、出力先が選択されていないと判定した場合、出力先が選択されるまで待機する。
【０１７７】
ステップＳ５２において、出力先が選択されたと判定された場合、出力先選択部９５は、ユーザにより選択された出力先を表す出力先情報を、予約情報設定部９３と重複設定部９６に供給し、ステップＳ５３に進む。ステップＳ５３において、重複設定部９５は、予約情報と出力先情報に基づいて、出力予約が重複するかどうかを判定し、出力予約が重複すると判定した場合、ステップＳ５４に進む。
【０１７８】
ステップＳ５４において、重複設定部９６は、予約情報と出力先情報に基づいて、出力重複解決ダイアログデータを作成する。そして、重複設定部９６は、その出力重複解決ダイアログデータを、重複表示制御部７８と信号処理部３４を介して、ディスプレイ３５に供給することにより、ディスプレイ３５に、図７や図８と同様の出力重複解決ダイアログを表示させる。このとき、重複設定部９６は、ユーザにより設定された出力先への出力対象を切り替える時刻を予約情報設定部９３に供給する。
【０１７９】
ステップＳ５４の処理後は、ステップＳ５３に進み、重複設定部９６は、出力予約が重複するかどうか、即ちまだ解決されていない重複があるかどうかを判定し、出力予約が重複しなくなるまで、上述した処理を繰り返す。
【０１８０】
ステップＳ５３において、出力予約が重複していないと判定された場合、ステップＳ５５に進み、予約情報設定部９３は、予約開始時刻、予約終了時刻、または出力先への出力対象を切り替える時刻、および出力先選択情報に基づいて、予約情報の出力先、出力開始時刻、および出力終了時刻を決定する。
【０１８１】
具体的には、出力予約の重複がない場合、予約情報設定部９３は、予約開始時刻と予約終了時刻を、出力開始時刻と出力終了時刻に決定する。一方、出力予約の重複がある場合、予約情報設定部９３は、出力先への出力対象を切り替える時刻を、出力開始時刻または出力終了時刻に決定する。また、予約情報設定部９３は、出力先選択情報が表す出力先を、予約情報の出力先に決定する。ステップＳ５３の処理後は、図１３のステップＳ３７に戻り、ステップＳ３８に進む。
【０１８２】
次に、図１５を参照して、受信装置１１が警告画面を表示する警告画面表示処理を説明する。この警告画面表示処理は、例えば、ユーザが操作入力部３９を操作し、視聴対象とする番組を指定したとき、開始される。
【０１８３】
ステップＳ７１において、図２の重複設定部９６は、予約情報に基づいて、視聴対象とする番組を受信可能なチューナ３１または３２の受信対象が重複するかどうか、即ち視聴対象とする番組を受信可能なすべてのチューナ３１または３２が、予約番組の受信に使用されているかどうかを判定し、視聴対象とする番組を受信可能なチューナ３１または３２の受信対象が重複すると判定された場合、ステップＳ７２に進む。
【０１８４】
ステップＳ７２において、重複設定部９６は、予約情報に基づいて、警告画面データを作成し、表示制御部７８と信号処理部３４を介して、ディスプレイ３５に供給することにより、警告画面（図１１）を表示させる。
【０１８５】
ステップＳ７２の処理後は、ステップＳ７３に進み、重複設定部９６は、ユーザにより予約番組の受信の中断が選択されたかどうか、即ち図１１の警告画面のカーソル２４１が予約番組の項目に移動され、決定の指令が行われたかどうかを判定する。
【０１８６】
ステップＳ７３において、ユーザにより予約番組の受信の中断が選択されたと判定された場合、ステップＳ７４に進み、受信制御部７７は、チューナ３１または３２を制御し、ユーザにより受信の中断が選択された予約番組の受信を中断させ、ステップＳ７５に進む。
【０１８７】
ステップＳ７５において、受信制御部７７は、ステップＳ７３で予約番組の受信が中断されたチューナ３１または３２を制御し、ユーザにより指定された視聴対象とする番組を受信させ、処理を終了する。その結果、ディスプレイ３５には、ユーザにより指定された視聴対象とする番組が表示される。
【０１８８】
一方、ステップＳ７１で視聴対象とする番組を受信可能なチューナ３１または３２の受信対象が重複しないと判定された場合、ステップＳ７５に進み、受信制御部７７は、受信対象が重複しないチューナ３１または３２を制御し、ユーザにより指定された視聴対象とする番組を受信させる。
【０１８９】
また、ステップＳ７３において、重複設定部９６は、ユーザにより予約番組の受信の中断が選択されていないと判定した場合、即ち図１１の警告画面のカーソル２４１が「どれも取り消さない」という項目に移動され、決定の指令が行われた場合、処理を終了する。即ち、ユーザにより指定された視聴対象とする番組は受信されない。
【０１９０】
図１６は、予約番組表の他の例を示す図である。
【０１９１】
図１６の予約番組表は、上方に電子番組表が表示されている点、左下方に使用可能な番組のリソースであるチューナ３１と３２の名前が表示されている点、右下方にカーソル１１１が配置された番組＃１５の番組と、その番組の受信予約に関する詳細な説明が表示される点で、前述の図５の予約番組表と共通するが、線枠１３１乃至１３４と点線枠１４１乃至１４４の代わりに、線枠３０１乃至３０４と点線枠３１１乃至３１４が新たに設けられている点で、図５の予約番組表と異なっている。
【０１９２】
図１６においては、線枠３０１乃至３０４と点線枠３１１乃至３１４の幅(図１６中横方向の長さ)が、セル１１０の半分（セル１１０に対応する番組を受信可能なリソース分の１）の長さとなっており、線枠３０１乃至３０４と点線枠３１１乃至３１４が、横方向に並ぶように配置されている。これにより、複数の線枠３０１乃至３０４または点線枠３１１乃至３１４が１つのセル１１０に表示される場合、線枠３０１乃至３０４または点線枠３１１乃至３１４が重なって表示されないので、ユーザの視認性を向上させることができる。
【０１９３】
また、図５の各点線枠１４１乃至１４４同士を横方向に繋げて表示させることにより、ユーザの視認性を向上させることもできる。
【０１９４】
この場合、図１７に示すように、例えば、図５のBSD200ch、BSD300ch、およびCS1 200chと、２００３年３月１７日の１８時００分から１９時５分までの時間とに対応する位置に付加される３つの点線枠１４１の代わりに、３つの点線枠１４１が横方向に繋げられた点線枠３３１が付加される。
【０１９５】
次に、図１８は、電子番組表の他の例を示す図である。
【０１９６】
なお、図１８は、ユーザが、２００３年３月１７日の１７時に、地上波300chで放送されている番組＃１５の番組を視聴中に、電子番組表の表示を指令するための操作を行ったとき、ディスプレイ３５に表示される電子番組表を示している。
【０１９７】
図１８に示すように、電子番組表の上方には、チャンネルのロゴ、チャンネル、および放送局の名前を表すタイトルが表示される。即ち、図１８の例においては、ユーザが視聴中の番組のチャンネルの「ロゴ」、チャンネルである「地上波300ch」、および放送局の名前である「○○放送」を表すタイトルが表示されている。
【０１９８】
また、電子番組表の横方向は番組の放送日を表し、縦方向は番組の放送時間を表している。即ち、電子番組表の上方には放送日が横方向に表示され、左側には縦方向に時間が表示される。そして、各番組には、その番組の放送日と放送時間に対応する位置に配置されたセル４０１が割り当てられ、そのセル４０１には、その番組の名前が表示される。これにより、電子番組表は、番組の放送スケジュールを表すことができる。
【０１９９】
さらに、図１８に示すように、電子番組表の左下方には、地上波300chで放送中の番組の画像と、その番組の説明とが表示される。また、電子番組表の右下方には、カーソル４１１が配置されているセル４０１に対応する番組の詳細な説明が表示される。
【０２００】
図１８の例においては、電子番組表の上方に、今日の日付である２００３年３月１７日、明日の日付である３月１８日、明後日の日付である３月１９日、および、その次の日付である３月２０日が順に横方向に並べて表示されている。
【０２０１】
また、電子番組表の左側に、ユーザが電子番組表の表示を指令した時刻である１７時を含む、１７時乃至２０時の時間が、１時間単位で上から順に表示されている。
【０２０２】
図１８の例においては、例えば、２００３年３月１７日と、１７時から１７時５０分までの時間とに対応する位置に配置されたセル４０１に、２００３年３月１７日の１７時から１７時５０分までの時間に放送される番組の番組名である番組＃１５が表示されている。また、図１８の例においては、ユーザが、２００３年３月１７日の１７時に地上波300chで放送されていた番組＃１５の番組を視聴中に、電子番組表の表示を指令したので、番組＃１５の番組に対応するセル４０１に、カーソル４１１が配置されている。
【０２０３】
同様に、図１８の電子番組表の、２００３年３月１７日、３月１８日、３月１９日、または３月２０日と、１７時から２０時までの番組の放送時間とに対応する位置に配置されたセル４０１に、番組＃１６、番組＃１７、および番組＃５１乃至番組＃５８が表示されている。即ち、図１８の電子番組表は、番組＃１５乃至番組＃１７と、番組＃５１乃至番組＃５８の番組の放送スケジュールを表している。
【０２０４】
以上のように、図１８の電子番組表では、地上波300chで放送される番組の放送日ごとの放送スケジュールが表されるので、ユーザは、毎日同一の時間に放送される帯番組を視覚的に認識することができる。例えば、図１８では、番組＃１７、番組＃５２、番組＃５５、および番組＃５８の番組が帯番組である。
【０２０５】
また、電子番組表の左下方には、ユーザが電子番組表の表示を指令した日時である２００３年３月１７日の１７時に放送されている番組＃１５の番組の画像と、その番組の説明が表示される。図１８の電子番組表は、１つのチャンネルである地上波300chで放送される番組の放送スケジュールを表すので、例えば、番組配信情報がチャンネルごとに番組に重畳されて送信される場合であっても、電子番組表として、番組配信情報が表す放送スケジュールとともに、番組の画像を表示させることができる。
【０２０６】
さらに、電子番組表の右下方には、カーソル４１１が配置されているセル４０１に対応する番組＃１５の番組と、その番組の詳細な説明が表示される。
【０２０７】
次に、図１９は、図１８の電子番組表の電子番組表データに基づいて作成される予約番組表の例を示している。
【０２０８】
なお、図１９は、ユーザが、２００３年３月１７日の１７時と地上波300chを指定し、予約番組表の表示を指令するための操作を行ったとき、ディスプレイ３５に表示される予約番組表を示している。また、予約情報保持部７４には、図４の予約情報が保持されているものとする。
【０２０９】
図１９に示すように、予約番組表の上方には、図３の電子番組表に、チューナ３１−１、チューナ３１−２、チューナ３２−１、およびチューナ３２−２の使用予約を表す線枠４３１乃至４３４と、使用予約済みを表す点線枠４４１乃至４４４とが付加されたものが表示される。
【０２１０】
図１９の例においては、図４の予約情報の項目を除く第１行目に示すように、２００３年３月１７日の１７時５０分から１９時１０分までに地上波300chで放送される番組＃１６の予約番組を受信するために、「地上波チューナ＃１」という名前のチューナ３２−１の使用予約が行われているので、２００３年３月１７日と、１７時５０分から１９時１０分までの時間とに対応する位置に、チューナ３２−１の使用予約を表す線枠４３３が付加されている。
【０２１１】
また、図１９の例においては、２００３年３月１７日の１９時３０分から２０時までの時間に、地上波300ch以外のチャンネルで放送される予約番組を受信するために、チューナ３２−１の使用予約が行われており、２００３年３月１７日と、１９時３０分から２０時までの時間とに対応する位置に、チューナ３２−１の使用予約済みを表す点線枠４４３が付加されている。
【０２１２】
さらに、図１９の例においては、ユーザにより指定された２００３年３月１７日の１７時に地上波300chで放送される番組＃１５の番組に対応するセル４０１に、カーソル４１１が配置されている。
【０２１３】
また、図１９の例においては、予約番組表の左下方に、地上波300chで放送中の番組の画像と、その番組の説明とが表示される。さらに、予約番組表の中央下方に、使用可能な番組のリソース、即ち受信装置１１に備えられているチューナ３１と３２の名前と、線枠４３１乃至４３４の種類とが対応付けて表示されている。また、電子番組表の右下方には、カーソル４１１が配置されているセル４０１に対応する番組＃１５の番組の詳細な説明が表示される。
【０２１４】
なお、上述した説明では、ユーザが、日時とチャンネルを指定し、予約番組表の表示を指令するための操作を行ったとき、予約番組表が表示されるようにしたが、電子番組表の表示中に、ユーザが予約番組表の表示を指令するための操作を行ったとき、予約番組表が表示されるようにしてもよい。
【０２１５】
また、図３の電子番組表で表示されるチャンネルは、ユーザにより設定されるようにしてもよい。
【０２１６】
さらに、上述した説明では、線枠１３１乃至１３４（３０１乃至３０４、４３１乃至４３４）で使用予約を、点線枠１４１乃至１４４（３１１乃至３１４、３３１、４４１乃至４４４）で使用予約済みを表したが、異なる透明色のマーカーなどで使用予約と使用予約済みを表すようにしてもよい。
【０２１７】
また、図３の電子番組表は、チューナ３１−１と３１−２で受信可能なチャンネル、またはチューナ３２−１と３２−２で受信可能なチャンネルのいずれか一方で放送される番組の放送スケジュールを表すようにしてもよい。
【０２１８】
電子番組表と予約番組表のセル１１０（４０１）の時間方向の幅は、そのセル１１０に対応する番組の放送時間の長さに線形に比例していなくてもよい。また、放送時間の長さが短い番組には、セル１１０（４０１）に番組名を表示させなくてもよい。
【０２１９】
図３の電子番組表で表される放送スケジュールの時間の長さとチャンネル数、並びに図１８の電子番組表で表される放送スケジュールの時間の長さと日数は、任意の数とすることができる。例えば、図１８の電子番組表で表される放送スケジュールの日数を少なくし、セル４０１には、番組名以外の番組の情報も表示することができる。また、放送スケジュールの日数を多くし、多くの日数分の放送スケジュールを表示することができる。
【０２２０】
また、図１８の電子番組表において、既に放送が終了した番組、即ち過去の番組に対応するセル４０１には、所定の色が表示されるようにしてもよい。さらに、図１８の電子番組表において、過去の番組に対応するセル４０１には、カーソル４１１が移動しないようにしてもよい。また、図１８の電子番組表において、過去の番組の放送スケジュールは表されないようにしてもよい。
【０２２１】
なお、電子番組表において、０時を超える時間が、その時間に２４を足した前日の時間として表示されるようにしてもよい。例えば、２００３年３月１８日の１時が、２００３年３月１７日の２５時として表示されるようにしてもよい。これにより、ユーザは、深夜番組の所望の番組を容易に検索し、予約番組として指定することができる。
【０２２２】
以上のように、受信装置１１は、電子番組表の予約番組の放送スケジュールを表す位置に、予約番組の受信に使用するチューナ３１または３２の使用の予約を表す線枠１３１乃至１３４（３０１乃至３０４，４３１乃至４３４）を付加して表示させるので、番組の受信予約が可能であるかどうかを、効率良くユーザに提示することができる。
【０２２３】
なお、本明細書において、プログラム記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０２２４】
また、本発明の実施の形態は、上述した実施の形態に限定されるものではなく、本発明の要旨を逸脱しない範囲において種々の変更が可能である。
【図面の簡単な説明】
【０２２５】
【図１】本発明を適用した受信装置の一実施の形態の構成例を示すブロック図である。
【図２】受信装置の機能的構成例を示すブロック図である。
【図３】電子番組表の例を示す図である。
【図４】予約情報の例を示す図である。
【図５】予約番組表の例を示す図である。
【図６】予約ダイアログの例を示す図である。
【図７】重複解決ダイアログの例を示す図である。
【図８】重複解決ダイアログの例を示す図である。
【図９】予約形態指定ダイアログの例を示す図である。
【図１０】予約出力先指定ダイアログの例を示す図である。
【図１１】警告画面の例を示す図である。
【図１２】予約番組表作成処理を説明するフローチャートである。
【図１３】予約番組設定処理を説明するフローチャートである。
【図１４】出力先設定処理を説明するフローチャートである。
【図１５】警告画面表示処理を説明するフローチャートである。
【図１６】予約番組表の他の例を示す図である。
【図１７】予約番組表のさらに他の例を示す図である。
【図１８】電子番組表の他の例を示す図である。
【図１９】予約番組表のさらに他の例を示す図である。
【符号の説明】
【０２２６】
３１−１，３１−２  チューナ，  ３２−１，３２−２  チューナ，  ３５  ディスプレイ，  ３６  スピーカ，  ３８  制御部，  ３９  操作入力部，  ４１  HDD，  ４２  ハードディスク，  ４３  HDD，  ４４−１，４４−２  ハードディスク，  ４５  記録部，４６  ビデオテープ，  ４８  リムーバブルメディア，  ７４  予約情報保持部，  ７５  予約制御部，  ７６  出力制御部，  ７７  受信制御部，  ７８  表示制御部，  ９１  番組表作成部，  ９２  予約番組表作成部，  ９３  予約情報設定部，  ９４  チューナ選択部，  ９５  出力先選択部，  ９６  重複設定部，  １３１乃至１３４  線枠，  １４１乃至１４４  点線枠
【図１】
2007049263.tif 000003
【図２】
2007049263.tif 000004
【図３】
2007049263.tif 000005
【図４】
2007049263.tif 000006
【図５】
2007049263.tif 000007
【図６】
2007049263.tif 000008
【図７】
2007049263.tif 000009
【図８】
2007049263.tif 000010
【図９】
2007049263.tif 000011
【図１０】
2007049263.tif 000012
【図１１】
2007049263.tif 000013
【図１２】
2007049263.tif 000014
【図１３】
2007049263.tif 000015
【図１４】
2007049263.tif 000016
【図１５】
2007049263.tif 000017
【図１６】
2007049263.tif 000018
【図１７】
2007049263.tif 000019
【図１８】
2007049263.tif 000020
【図１９】
2007049263.tif 000021